(57)【要約】【課題】レーザ穿刺装置内の電池とコンデンサとが隣接して配置され、電池とコンデンサ端子間でスパークする危険性があった。【解決手段】筐体１２と、この筐体１２内部に配置したレーザ穿刺ユニット１６と、レーザ穿刺ユニット１６を挟むように配置したコンデンサ１３ａ、１３ｂと電池１５とを備えたものである。これにより、所期の目的を達成することができる。【選択図】図１
2010178818.tif 000002
【特許請求の範囲】
【請求項１】
筐体と、この筐体内部に配置したレーザ穿刺ユニットと、前記レーザ穿刺ユニットを挟むように配置したコンデンサ及び電池と、を備えたレーザ穿刺装置。
【請求項２】
コンデンサの端子と対向する前記レーザ穿刺ユニットの外装の一部は、少なくとも絶縁物で構成されている、請求項１に記載のレーザ穿刺装置。
【請求項３】
前記電池を充電器に装着して充電する際に、前記電池が前記レーザ穿刺ユニットに対して、前記充電器側になるよう配置した請求項１に記載のレーザ穿刺装置。
【請求項４】
前記コンデンサは、高電圧を発生し、前記レーザ穿刺ユニットに高電圧を供給するために用いられる、請求項１に記載のレーザ穿刺装置。
【請求項５】
前記筐体は、片手で握れる形状とし、前記レーザ穿刺ユニットのレーザ光の照射軸を遮るように指当て部を設け、前記指あて部に向けてレーザを照射する、請求項１に記載のレーザ穿刺装置。
【請求項６】
前記コンデンサは、少なくとも１個以上である、請求項１に記載のレーザ穿刺装置。
【請求項７】
請求項６に記載の前記レーザ穿刺装置に挿入され、生体試料の成分濃度を測定するための血液センサを有した血液検査装置。
【請求項８】
請求項７に記載の前記生体試料の成分濃度は、グルコースの濃度を測定する、血液検査装置。
【請求項９】
前記血液センサの電極に所定の電圧を印加する電圧印加手段と、前記血液センサからの応答電流より前記生体試料の成分濃度を算出する電気回路とを有し、前記レーザユニットを挟むように前記電気回路と前記コンデンサとを配置した請求項７に記載の血液検査装置。
【発明の詳細な説明】
【技術分野】
【０００１】
本発明は、レーザ穿刺装置とこれを用いた血液検査装置に関するものである。
【背景技術】
【０００２】
糖尿病患者は、定期的に血糖値を測定し、その血糖値に基づいてインスリンを注射し、血糖値を正常に保つ必要がある。そのため患者は、指先等から少量の血液を採取しなければならない。この血液を採取するにあたり穿刺装置が必要となる。
【０００３】
以下、従来のレーザ穿刺装置を含む血液検査装置（穿刺装置の一例）について説明する。従来のレーザ穿刺装置１は図１６に示すように、略直方体形状をするとともに一方に突出部２ａを有する筐体２と、この筐体２と突出部２ａに渡って装着されたレーザ穿刺ユニット３と、このレーザ穿刺ユニット３に対向するとともに突出部２ａに装着された指当て部４と、筐体２の他方側に装着される電池５と、この電池５に隣接する電気回路部６とで構成されていた。
【０００４】
レーザ穿刺ユニット３はレーザロッド３ｃとフラッシュランプ３ｄで構成され、レーザ穿刺時にはフラッシュランプ３ｄが発光し、発光した励起光はレーザロッド３ｃに取り込まれる。これにより励起したＥｒ分子が安定状態に戻るときの発光が、レーザロッド３ｃの間で誘導放出により増幅されて、その一部が端面を通過して放出される。その結果、レーザ穿刺ユニット３からレーザ光３ｂが出射される。
【０００５】
以上のように構成されたレーザ穿刺装置１の使用方法を図１７に基づいて説明する。先ず、レーザ穿刺装置１を右手７ａで握る。そして、指当て部４を左手７ｂの皮膚９に当接させる。この状態で穿刺ボタン３ａを右手７ａの中指８ｃで押下する。レーザ穿刺装置１からはレーザ光３ｂ（図１６参照）が発射され皮膚９を穿刺する。皮膚９からは血液１０が滲出する。
【０００６】
この出願の発明に関連する先行技術文献情報としては、例えば、特許文献１が知られている。
【特許文献１】国際公開第２００８／０８７９８２号パンフレット
【発明の開示】
【発明が解決しようとする課題】
【０００７】
しかしながら、このような従来のレーザ穿刺装置１では、レーザ穿刺を行う場合に、電池５からレーザ穿刺ユニット３内に装着されているフラッシュランプ３ｄへ直接電圧の供給を行うと、電池では印加する電圧が小さくフラッシュランプ３ｄを発光させるには不十分である。従って、電気回路部６で、あらかじめ電圧を高めた後にフラッシュランプ３ｄへ供給する必要があった。
【０００８】
ここで、電圧を高める手段として一般的には電気回路部６に電気的に接続されたコンデンサ（図示せず）が用いられるが、電池５と電気回路部６を隣接して配置すると、電気回路部６へ接続されるコンデンサの端子（図示せず）と電池５との距離が近くなり、コンデンサ端子と電池５との間でスパークする危険性がある。
【０００９】
そこで本発明は、このような問題を解決したもので、コンデンサ端子と電池間でのスパークを避け、確実に穿刺動作が可能なレーザ穿刺装置を提供することを目的としたものである。
【課題を解決するための手段】
【００１０】
この目的を達成するために本発明のレーザ穿刺装置は、筐体と、この筐体内部に配置したレーザ穿刺ユニットと、前記レーザ穿刺ユニットを挟むように配置したコンデンサ及び電池と、を備えたレーザ穿刺装置を備えたものである。これにより、所期の目的を達成することができる。
【発明の効果】
【００１１】
以上のように本発明によれば、筐体と、この筐体内部に配置したレーザ穿刺ユニットと、前記レーザ穿刺ユニットを挟むように配置したコンデンサ及び電池と、を備えたレーザ穿刺装置であり、このようにコンデンサと電池とを配置することにより、コンデンサの端子と電池との距離が少なくともレーザ穿刺ユニットの分だけは離れることになる。従って、電池と高電圧を扱うコンデンサの端子との距離が離れ、電池とコンデンサの端子間でのスパークを避けることができる。
【００１２】
また、重量の大きいコンデンサが筐体の一方側に配置されるとともに、もう一つの重量の大きい電池が筐体の他方側に配置されることになる。このように配置することにより、重量の中心が筐体の略中央となる。従って、レストラン等での食後の血糖値測定において、人に見られないようにテーブルの下等で穿刺を行う場合、重心が筐体の略中央になり安定した状態で保持して操作を行うことができる。
【００１３】
更に、筐体内に電池、コンデンサおよびレーザ穿刺ユニットの主要部品を効率良く並列に配置することができるので、小型化が可能となる。
【発明を実施するための最良の形態】
【００１４】
（実施の形態１）
図１は、実施の形態１におけるレーザ穿刺装置１１の断面図である。図１において、１２は直方体形状をした筐体１２であり、この筐体１２の一方１２ａ側には大容量のコンデンサ１３（１３ａ、１３ｂ）を構成要素に含む高電圧発生回路１４（図５参照）が装着されている。また、他方１２ｂ側には電池１５が着脱自在に挿入されている。そして、この電池１５とコンデンサ１３との間には、レーザ穿刺ユニット１６が装着されている。
【００１５】
筐体１２の長手方向の一方の側面１２ｃには、指当て部１７が設けられている。この指当て部１７はレーザ穿刺ユニット１６から照射されるレーザ光の照射軸を遮るように配置されている。また、他方の側面１２ｄの１２ａ側の角部（図１においては、右上）には、レーザ穿刺ユニット１６に駆動指令を発する穿刺ボタン１６ａが配置されている。この筐体１２は片手で握ることができる大きさ（図４参照）としている。
【００１６】
筐体１内の電池１５が装着されている１２ｂ側（図１においては、下側）には、電池１５の充電用の端子１５ａが設けられており、充電時にはレーザ穿刺装置１１をクレイドル（図示せず）に置くことにより、端子１５ａとクレイドルの端子とが接触し充電が行われる。
【００１７】
また、指当て部１７を囲うようにレーザカバー１８が設けられている。このレーザカバー１８は、摺動可能に設けられており、レーザカバーの「開」を検知して高電圧発生回路１４に電源を供給する電源スイッチ（図示せず）が設けられている。
【００１８】
以上説明したように、レーザ穿刺ユニット１６を挟んでコンデンサ１３と電池１５とが配置されることになり、コンデンサ１３のプラス側の端子１３ｃと電池１５との距離が、少なくともレーザ穿刺ユニット１６の分だけ離れることになる。従って、高電圧が露出したコンデンサ１３の端子１３ｃ、１３ｄと低電圧の電池１５との距離が少なくともレーザ穿刺ユニット１６の分だけ離れることになり、電池１５とコンデンサ１３の端子１３ｃ、或いは電池１５と端子１３ｄ間でスパークを避けることができる。
【００１９】
また、重量の大きいコンデンサ１３が直方体をした筐体１２の一方１２ａ側に配置されるとともに、もう一つの重量の大きい電池１５が直方体をした筐体１２の他方１２ｂ側に配置されており、重量の中心が直方体形状をした筐体１２の略中央となる。従って、重心が筐体１２の略中央になりレーザ穿刺動作時において安定した操作を行うことができる。
【００２０】
更に、筐体１２内に主要部品を構成するコンデンサ１３、レーザ穿刺ユニット１６、電池１５を効率良く並列に配置することができるので、レーザ穿刺装置１１の小型化が可能となる。更にまた、コンデンサ１３は、サイズの大きい大容量のコンデンサ１個ではなく、小容量のコンデンサ１３ａ、１３ｂの合成容量で大容量のコンデンサ１３を実現しているので、薄型化が可能となる。
【００２１】
図２は、レーザカバー１８を閉じた状態におけるレーザ穿刺装置１１の斜視図である。レーザカバー１８は閉じられているので、指当て部１７はレーザカバー１８により覆われている。このレーザカバー１８が設けられているので、レーザ光１６ｂ（図５参照）が筐体１２外へ放射されることはなく安全である。また、レーザカバー１８が閉じられることにより小型となり、携帯に便利なものとなる。２０は、筐体１２に設けられた操作部であり、レーザ穿刺ユニット１６による穿刺深さ（レーザ出力）等を調整するものである。
【００２２】
図３は、レーザカバー１８を引き出した状態におけるレーザ穿刺装置１１の斜視図である。レーザカバー１８が引き出されているので、指当て部１７が露出して現われる。レーザカバー１８を引き出すことにより電源スイッチ１９（図５参照）がオンとなり、高電圧発生回路１４に電源が供給される。また、このレーザカバー１８を閉じると、電源スイッチ１９はオフとなり、高電圧発生回路１４の電源はオフされる。このように、電源はレーザカバー１８の開閉に連動してオン・オフされるので、操作が容易であるとともに電池を無駄に消耗することはない。
【００２３】
図４は、レーザカバー１８を引き出してレーザ穿刺装置１１を右手７ａで握った状態における正面図である。レーザカバー１８が引き出されることにより、レーザカバー１８と指当て部１７との間に空間１８ａが生ずる。この空間１８ａに薬指８ｄを挿入して、この薬指８ｄを指当て部１７に当接させる。そして、親指８ａで穿刺ボタン１６ａを押下する。穿刺ボタン１６ａを押下することにより、レーザ光（図５参照）が放射され薬指８ｄが穿刺される。このように片手でレーザ穿刺装置１１を握った状態で、穿刺ボタン１６ａの押下と、当接した皮膚から血液の採血の双方を行うことができる。従って、人の視線を意識することなくテーブルの下等で容易に操作することができる。
【００２４】
なお、レーザ穿刺装置１１を握る手は右手７ａである必要はなく、左手であっても良い。また、穿刺する指８は薬指８ｄである必要はなく、他の指８であっても良い。要するに左右の手のどの指でも採血が可能である。
【００２５】
図５は、レーザ穿刺ユニット１６と、このレーザ穿刺ユニット１６に高電圧を供給する高電圧発生回路１４のブロック図である。高電圧発生回路１４は、電池１５から電源スイッチ１９を介して接続された昇圧回路１４ａと、この昇圧回路１４ａの出力に接続されたコンデンサ１３（１３ａ、１３ｂ）と、このコンデンサ１３のプラス端子１３ｃに接続されたトリガスイッチ１４ｂと、このトリガスイッチ１４ｂの出力に接続されたトリガ回路１４ｃとで構成されている。大容量を必要とするコンデンサ１３は形状が大型となるため、ンデンサ１３ａとコンデンサ１３ｂの並列接続による合成容量で大容量を実現している。
【００２６】
また、コンデンサ１３の両端子１３ｃ、１３ｄは、レーザ穿刺ユニット１６を構成する発光ランプ１６ｃの両電極に接続されている。また、トリガ回路１４ｃの出力は発光ランプ１６ｃのトリガ電極に接続されている。
【００２７】
コンデンサ１３は、静電容量２７０μＦで耐圧３５０Ｖのものを２個並列に用い、４４０μＦの静電容量を持つ大容量のコンデンサ１３を実現している。トリガスイッチ１４ｂにはＩＧＢＴ（絶縁ゲートバイポーラトランジスタ）を用いている。このトリガスイッチ１４ｂは、穿刺ボタン１６ａの出力でオンされる。
【００２８】
レーザ穿刺ユニット１６は、フラッシュランプ１６ｃと、このフラッシュランプ１６ｃの近傍に設けられるとともにＥｒ：ＹＡＧ（イットリウム・アルミニウム・ガーネット）で形成されたレーザロッド１６ｄと、このレーザロッド１６ｄの前方に設けられたレンズ１６ｅとで構成されている。また、レーザロッド１６ｄの後方には全反射鏡１６ｆが装着されるとともに前方には部分透過鏡１６ｇが装着されている。そして、これらフラッシュランプ１６ｃとレーザロッド１６ｄは、内面が鏡面で形成されるとともに断面が楕円形をしたカバー（図示せず）で覆われている。このカバーの楕円の焦点位置に、フラッシュランプ１６ｃとレーザロッド１６ｄが夫々配置されている。これは、フラッシュランプ１６ｃから放射される光を効率良くレーザロッド１６ｄに供給するためである。また、カバーとレンズ１６ｅは樹脂製の筐体（図示せず）で位置決めされている。
【００２９】
次に、高電圧発生回路１４とレーザ穿刺ユニット１６の動作を説明する。電池１５から供給された電圧は、電源スイッチ１９を介して昇圧回路１４ａに供給され、この昇圧回路１４ａで昇圧されてコンデンサ１３を充電する。この充電電圧は操作部２０から昇圧回路１４ａの制御が可能であり、この充電電圧の制御でレーザ出力を制御することができ、穿刺深さの調整可能となる。コンデンサ１３に充電された電圧はフラッシュランプ１６ｃの両電極に供給される。この電圧が予め定められた電圧（３００Ｖ以上）まで昇圧された後、穿刺ボタン１６ａの押下によりトリガスイッチ１４ｂを介してトリガ回路１４ｃが働き、フラッシュランプ１６ｃが発光する。フラッシュランプ１６ｃの発光により、レーザロッド１６ｄ内のＥｒ：ＹＡＧが励起されてレーザ光が発生する。このレーザ光は、全反射鏡１６ｆと部分透過鏡１６ｇ内を往復するうちに増幅され、その一部は部分透過鏡１６ｇを透過してレーザロッド１６ｄ外へ出力される。レーザロッド１６ｄ外へ出力されたレーザ光１６ｂは、レンズ１６ｅと指当て部１７を一直線に通過して皮膚９を穿刺する。穿刺された皮膚９からは血液１０が滲出する。
【００３０】
（実施の形態２）
図６は、実施の形態２における血液検査装置２５の断面図である。実施の形態２において、実施の形態１と同じ物については同符号を付し、説明を簡略化している。
【００３１】
実施の形態２における血液検査装置２５は、レーザ穿刺装置で採取した血液をその場で血液センサ３０（図１０〜図１２参照）に取り込んで血糖値を算出するものである。従って、一回の動作（ワンステップ動作）で血液の採取から血糖値の算出まで行うことができるものである。
【００３２】
図６において、２６は直方体形状をした筐体（実施の形態１における筐体１２に該当）であり、この筐体２６の一方２６ａ側には電気回路部２７が装着されている。この電気回路部２７には、大容量のコンデンサ１３（１３ａ、１３ｂ）を構成要素に含む高電圧発生回路１４（図５参照）と、測定回路部２８（図１３参照）が含まれている。また、他方２６ｂ側には電池１５が着脱自在に挿入されている。そして、この電池１５とコンデンサ１３との間に、レーザ穿刺ユニット１６が装着されている。また、筐体２６の一方２６ａには表示部２９が装着されている。
【００３３】
筐体２６の長手方向の一方の側面２６ｃには、指当て部２３（実施の形態１における指当て部１７に該当）が設けられている。この指当て部２３はレーザ穿刺ユニット１６対応して設けられている。この指当て部２３とレーザ穿刺ユニット１６との間には、血液センサ３０（図１０〜図１２参照）が配されており、血液センサ３０は筐体２６に回動自在に取り付けられたセンサコネクタ４７に挿抜自在に装着されている。指当て部２３を囲うようにレーザカバー１８が設けられている。このレーザカバー１８は、摺動可能に設けられており、レーザカバー１８の「開」を検知して電気回路部２７へ電力を供給する電源スイッチ（図示せず）が設けられている。
【００３４】
また、筐体２６の他方の側面２６ｄの上方角には、レーザ穿刺ユニット１６に駆動指令を発する穿刺ボタン１６ａが配置されている。この筐体２６は手で握ることができる大きさ（図９参照）のものである。
【００３５】
以上説明したように、本実施の形態における血液検査装置２５は、血液センサ３０と測定回路部２８を有しているので、一回の動作で血液１０（図１５参照）の採取から血糖値の算出までできる特徴に加えて、レーザ穿刺装置と同様の特徴を有するものである。
【００３６】
図７は、レーザカバー１８を閉じた状態における血液検査装置２５の正面図であり、図８は、レーザカバー１８を引き出した状態における血液検査装置２５の斜視図である。レーザカバー１８と筐体２６との間には、指当て部２３と、血液センサ３０を装着するセンサコネクタ４７とが回動自在に装着されている。
【００３７】
２４は操作部であり、この操作部２４は、穿刺深さ（レーザ出力）の調整やメモリに格納された血糖値のデータ等を表示部２９に表示させる操作を行うものである。
【００３８】
図９は、レーザカバー１８を引き出して血液検査装置２５を右手７ａで握った状態における断面図である。親指８ａで穿刺ボタン１６ａを押下することにより、レーザ穿刺ユニット１６からレーザ光１６ｂ（図１３参照）が照射される。このレーザ光１６ｂは、血液センサ３０に形成された貯留部３４（図１０〜図１２参照）と指当て部２３に形成された孔２３ａを介して一直線上に進行し、薬指８ｄの皮膚９（図１５参照）を穿刺する。穿刺された皮膚９からは血液１０（図１５参照）が滲出する。この血液１０は血液センサ３０へ直接取り込まれる。従って、滲出した血液１０を無駄にする量は少ないばかりか、他の場所への血液による汚染も少なく衛生的にできる。
【００３９】
図１０は、センサコネクタ４７へ挿入する血液センサ３０の断面図である。この血液センサ３０は、基板３１と、スペーサ３２と、カバー３３の積層となっている。３４は、基板３１の横幅方向の略中央を貫通して設けられた貯留部である。
【００４０】
３５は、この貯留部３４に一方の端が連結された血液１０の供給路であり、貯留部３４に溜められた血液１０を毛細管現象で一気に検出部３７へ導く路である。また、この供給路３５の他方の端は空気孔３８へ連結されている。
【００４１】
４０は、検出部３７上に載置された試薬である。この試薬４０は、０．０１〜２．０ｗｔ％ＣＭＣ水溶液に、ＰＱＱ−ＧＤＨを０．１〜５．０Ｕ／センサ、フェリシアン化カリウムを１０〜２００ｍＭ、マルチトールを１〜５０ｍＭ、タウリンを２０〜２００ｍＭ添加して融解させて試薬溶液を調整し、これを基板３１に形成された検出部３７を構成する検出電極４１，４３（図１１参照）上に滴下し、乾燥させることで形成したものである。
【００４２】
基板３１の上面には金、白金、パラジウム等を材料として、スパッタリング法或いは蒸着法により導電層を形成し、これをレーザ加工により検出電極４１〜４５（図１１参照）と、この検出電極４１〜４５から夫々導出された接続電極４１ａ〜４６ａが一体的に形成されている。
【００４３】
図１１は、血液センサ３０の透視平面図である。血液センサ３０の一方の端には、接続電極４１ａ〜４６ａが形成されている。接続電極４３ａと接続電極４６ａとの間に、導電体パターンで形成された識別部４６が形成されている。
【００４４】
供給路３５上には、貯留部３４側から順に接続電極４４ａに接続された検出電極４４と、接続電極４５ａに接続された検出電極４５と、接続電極４３ａに接続された検出電極４３と、接続電極４１ａに接続された検出電極４１と、接続電極４２ａに接続された検出電極４２が設けられている。また、検出電極４１，４３上には、試薬４０（図１０参照）が載置される。接続電極４３ａと接続電極４６ａ間の電気的な導通があるか無いかで、血液センサ３０がセンサコネクタ４７に装着されたか否かを識別することができる。
【００４５】
また、識別部４６の電気抵抗値を変えることにより、使用する検量線の情報を格納したり、製造情報を格納したりすることが可能となる。従って、これらの情報を用いて、より精密な血液検査を行なうことができる。
【００４６】
図１２は、長方形状をするとともに板体で形成された血液センサ３０の斜視図である。３０ａ、３０ｂは、血液センサ３０の接続電極４１ａ〜４６ａ側の角を切り欠いて形成された切り欠き部であり、血液センサ３０のセンサコネクタ４７（図８参照）への挿入を容易にするものである。
【００４７】
以上のように構成されているので、貯留部３４に血液１０が流入すると、この血液１０は供給路３５内を毛細管現象で、検出電極４５，４３、４１を順に通過して検出電極４２上へ導かれる。血液１０が検出電極４２へ導かれることにより、検出電極４２より手前にある検出部３７を構成する検出電極４１，４３へ十分な血液１０が到達していることを検知することができる。この血液１０は、試薬４０と反応する。その反応結果は接続電極４１ａ、４３ａに導かれる。
【００４８】
図１３は、電気回路部２７とその周辺のブロック図である。電気回路部２７は、測定回路部２８と高電圧発生回路１４とで構成されている。
【００４９】
図１３において、血液センサ３０の接続電極４１ａ〜４６ａは、図８に示すセンサコネクタ４７（４７ａ〜４７ｅ）を介して切換回路２８ａに接続されている。この切換回路２８ａの出力は、電流／電圧変換器２８ｂの入力に接続されている。そして、その出力はアナログ／デジタル変換器（以後、Ａ／Ｄ変換器という）２８ｃを介して演算部２８ｄの入力に接続されている。この演算部２８ｄの出力は、液晶で形成された表示部２９と送信部２８ｅに接続されている。また、切換回路２８ａには基準電圧源２８ｆが接続されている。
【００５０】
２８ｇは制御部であり、この制御部２８ｇの出力は、レーザ穿刺ユニット１６に接続された高電圧発生回路１４と、切換回路２８ａの制御端子と、演算部２８ｄと、送信部２８ｅとに接続されている。また、制御部２８ｇの入力には、穿刺ボタン１６ａと、操作部２４と、タイマ２８ｋと、コネクタ４７ａ（但し共用して使用している）と、コネクタ４７ｆが接続されている。
【００５１】
先ず、血糖値の測定について説明する。穿刺ボタン１６ａを押下すると、制御部２８ｇは高電圧発生回路１４のトリガスイッチ１４ｂ（図５参照）をオンする。トリガスイッチ１４ｂがオンされると、レーザ穿刺ユニット１６からレーザ光１６ｂが発射され皮膚９を穿刺する。皮膚９の穿刺により皮膚９からは血液１０が滲出する。そして、この滲出した血液１０の測定を行う。
【００５２】
測定動作では、先ず、血液１０が全ての検出電極４１〜４５へ流入しているか否かを検知する。即ち、切換回路２８ａを切換えて、検出電極４１を電流／電圧変換器２８ｂに接続する。また、血液１０の流入を検知するための検知極となる検出電極４２を基準電圧源２８ｆに接続する。そして、検出電極４１及び検出電極４２間に一定の電圧を印加する（電圧印加手段）。
【００５３】
この状態において、血液１０が流入すると、検出電極４１，４２間に電流（応答電流ともいう）が流れる。この電流は、電流／電圧変換器２８ｂによって電圧に変換され、その電圧値はＡ／Ｄ変換器２８ｃによってデジタル値に変換される。そして、演算部２８ｄに向かって出力される。演算部２８ｄはそのデジタル値に基づいて血液１０が十分に流入したことを検出する。
【００５４】
次に、血液成分であるグルコースの測定が行なわれる。グルコース成分量の測定は、先ず、制御部２８ｇの指令により、切換回路２８ａを切換えて、グルコース成分量の測定のための作用極となる検出電極４１を電流／電圧変換器２８ｂに接続する。また、グルコース成分量の測定のための対極となる検出電極４３を基準電圧源２８ｆに接続する。
【００５５】
そうすると、検出電極４１，４３間に電流（応答電流ともいう）が流れる。この電流は電流／電圧変換器２８ｂによって電圧に変換され、その電圧値はＡ／Ｄ変換器２８ｃによってデジタル値に変換される。そして、演算部２８ｄに向かって出力される。演算部２８ｄではそのデジタル値を基にグルコース成分量に換算する。
【００５６】
グルコース成分量の測定後、Ｈｃｔ値の測定が行なわれる。Ｈｃｔ値の測定は次のように行なわれる。先ず、制御部２８ｇからの指令により切換回路２８ａを切換える。そして、Ｈｃｔ値の測定のための作用極となる検出電極４５を電流／電圧変換器２８ｂに接続する。また、Ｈｃｔ値の測定のための対極となる検出電極４１を基準電圧源２８ｆに接続する。
【００５７】
次に、制御部２８ｇの指令により、電流／電圧変換器２８ｂ及び基準電圧源２８ｆから検出電極４５と４１間に一定の電圧を印加する（電圧印加手段）。検出電極４５と４１間に流れる電流（応答電流ともいう）は、電流／電圧変換器２８ｂによって電圧に変換され、その電圧値はＡ／Ｄ変換器２８ｃによってデジタル値に変換される。そして演算部２８ｄに向かって出力される。演算部２８ｄはそのデジタル値に基づいてＨｃｔ値に換算する。
【００５８】
この測定で得られたＨｃｔ値とグルコース成分量を用い、予め求めておいた検量線または検量線テーブルを参照して、グルコース成分量をＨｃｔ値で補正し、その補正された結果を表示部２９に表示する。何れの検量線または検量線テーブルを用いるかは、血液センサ３０内の識別部４６に基づいて決定する。
【００５９】
以上、グルコースの測定を例に説明したが、血液センサ３０の試薬４０を交換して、グルコースの測定の他に乳酸値やコレステロールの血液成分の測定にも適用できる。
【００６０】
図１４は、血液検査装置２５（図６参照）を用いた血液検査の動作フローチャートである。先ず、ステップ５１において、レーザカバー１８（図７参照）をスライドさせて開く。このレーザカバー１８の「開」により、電源がオンされる。次に、ステップ５２へ移行する。ステップ５２では、指当て部２３（図８参照）とセンサコネクタ４７（図８参照）を回動させて開く。そして、センサコネクタ４７へ血液センサ３０（図８参照）を挿入する。血液センサ３０の挿入検知は、識別部４６（図１１、図１２参照）の導通で行う。次に、ステップ５３へ移行する。ステップ５３では、指当て部２３とセンサコネクタ４７を回動させて元の位置に戻す。そして、空間１８ａ（図９参照）に薬指８ｄを挿入して指当て部２３に当接させる。
【００６１】
次に、ステップ５４へ移行する。ステップ５４では、穿刺ボタン１６ａ（図９参照）を親指８ａ（図９参照）で押下する。穿刺ボタン１６ａの押下によりレーザ光１６ｂ（図１３参照）が発射され、薬指８ｄ（図９参照）を穿刺する。穿刺された薬指８ｄ（図９参照）からは血液１０（図５参照）が滲出する。滲出した血液１０（図５参照）は血液センサ３０（図１１参照）に取り込まれる。
【００６２】
次に、ステップ５５へ移行する。ステップ５５では、血液センサ３０（図１１参照）に取り込まれた血液１０（図５参照）は、試薬４０（図１０参照）と化学反応する。この反応の結果は、測定回路部２８（図１３参照）で演算され血糖値が求められる。そして、その結果は、表示部２９（図１３参照）に表示される。なお、血液センサ３０（図１１参照）の検出電極４２に血液１０が到達したら、その旨を表示部２９（図１３参照）に表示する。この表示がされたらステップ５６へ移行して良い。ステップ５６では、薬指８ｄを指当て部２３から外すとともに、指当て部２３とセンサコネクタ４７（図８参照）を回動させて開き、血液センサ３０を抜き取って廃棄する。そして、センサコネクタ４７と指当て部２３は元の状態に戻して、ステップ５７へ移行する。ステップ５７では、レーザカバー１８を閉じる。レーザカバー１８を閉じることにより、電源がオフされる。
【００６３】
なお、このとき血糖値の演算結果はメモリに格納される。若し、電源がオフされる時点において未だメモリに血糖値のデータが格納されていない場合は、これらの動作の終了を待って電源をオフする。また、必要に応じ操作部２４（図１３参照）を用いて、血糖値のデータを表示部２９（図１３参照）へ表示したり、穿刺深さ（レーザ出力）の調整を行ったりすることができる。
【００６４】
（実施の形態３）
図１５は、実施の形態３における血液検査装置６０の断面図である。実施の形態３において、実施の形態１および実施の形態２と同じ物については同符号を付し、説明を簡略化している。
【００６５】
図１５において、６１は直方体形状をした筐体（実施の形態１における筐体１２、実施の形態２における筐体２６に該当）であり、この筐体６１の一方６１ａ側には測定回路部６２が装着されており、測定回路部６２と対向する位置に電池１５が着脱自在に挿入されている。また、他方６１ｂ側には、大容量のコンデンサ１３を構成要素に含む高電圧発生回路１４（図５参照）が含まれている。そして、この電池１５とコンデンサ１３との間に、レーザ穿刺ユニット１６が装着されている。また、筐体６１の一方６１ａには表示部２９が装着されている。
【００６６】
以上説明したように、本実施の形態における血液検査装置６０の測定回路部６２は、コンデンサ１３及びレーザ穿刺ユニット１６のそれぞれと重なる位置に配置されない。従って、コンデンサ１３及び高電圧発生回路１４と、測定回路６２との距離が離れているので、測定回路６２は、コンデンサ１３からレーザ穿刺ユニット１６へ高電圧を印加した際に発生するノイズの影響を低減することができる。
【産業上の利用可能性】
【００６７】
本発明にかかるレーザ穿刺装置は、コンデンサ端子と電池間でのスパークを避け、確実に穿刺動作を行うことができるので、血液の採取に使用するレーザ穿刺装置や、血液の性質を検査する血液検査装置に適用できる。
【図面の簡単な説明】
【００６８】
【図１】本発明の実施の形態１におけるレーザ穿刺装置の断面図
【図２】同、レーザカバーを閉じた状態の斜視図
【図３】同、レーザカバーを開いた状態の斜視図
【図４】同、使用時の正面図
【図５】同、レーザ穿刺ユニットと高電圧発生回路のブロック図
【図６】同、実施の形態２における血液検査装置の断面図
【図７】同、レーザカバーを閉じた状態の正面図
【図８】同、レーザカバーを開いた状態の斜視図
【図９】同、使用時の断面図
【図１０】同、血液センサの断面図
【図１１】同、透視平面図
【図１２】同、斜視図
【図１３】同、電気回路部とその周辺のブロック図
【図１４】同、動作フローチャート
【図１５】同、実施の形態３における血液検査装置の断面図
【図１６】従来のレーザ穿刺装置の断面図
【図１７】同、使用状態の斜視図
【符号の説明】
【００６９】
１１    レーザ穿刺装置
１２    筐体
１２ａ    一方
１２ｂ    他方
１３ａ    コンデンサ
１３ｂ    コンデンサ
１４    高電圧発生回路
１５    電池
１６    レーザ穿刺ユニット
【図１】
2010178818.tif 000003
【図２】
2010178818.tif 000004
【図３】
2010178818.tif 000005
【図４】
2010178818.tif 000006
【図５】
2010178818.tif 000007
【図６】
2010178818.tif 000008
【図７】
2010178818.tif 000009
【図８】
2010178818.tif 000010
【図９】
2010178818.tif 000011
【図１０】
2010178818.tif 000012
【図１１】
2010178818.tif 000013
【図１２】
2010178818.tif 000014
【図１３】
2010178818.tif 000015
【図１４】
2010178818.tif 000016
【図１５】
2010178818.tif 000017
【図１６】
2010178818.tif 000018
【図１７】
2010178818.tif 000019